(57)【要約】【課題】  ユーザが再生を意図する録画番組の再生ができ、また操作性をより向上させた記録再生装置を提供する。【解決手段】  本発明の記録再生装置は、放送信号を受信しこれを復調して複数の放送コンテンツを出力するチューナ部と、前記チューナ部からの前記複数の放送コンテンツを記録する記録部と、前記記録部が記録した前記複数の放送コンテンツの管理情報のリスト表示をするための表示信号を出力し前記複数の放送コンテンツの内の一つの再生を指示する操作信号を受けると前記記録されている複数の放送コンテンツから前記再生指示された放送コンテンツに関連する複数の放送コンテンツの管理情報を時系列的にリスト表示をするための表示信号を出力するべく制御し、またこの時系列的なリストに基づいてコンテンツを再生するための再生信号を出力するべく制御する制御部とを具備することを特徴とする記録再生装置。【選択図】      図５
2008085662.tif 000002
【特許請求の範囲】
【請求項１】
放送信号を受信しこれを復調して複数の放送コンテンツを出力するチューナ部と、
前記チューナ部からの前記複数の放送コンテンツを記録する記録部と、
前記記録部が記録した前記複数の放送コンテンツの管理情報のリスト表示をするための表示信号を出力し前記複数の放送コンテンツの内の一つの再生を指示する操作信号を受けると前記記録されている複数の放送コンテンツから前記再生指示された放送コンテンツに関連する複数の放送コンテンツの管理情報を時系列的にリスト表示をするための表示信号を出力するべく制御し、またこの時系列的なリストに基づいてコンテンツを再生するための再生信号を出力するべく制御する制御部と、を具備することを特徴とする記録再生装置。
【請求項２】
前記制御部は、前記再生を指示されたコンテンツの再生リストが存在するか判定し、該再生リストが存在すると判定した場合に限り、前記再生指示された放送コンテンツに関連する複数の放送コンテンツの管理情報を時系列的にリスト表示をするための表示信号を出力することを特徴とする請求項１記載の記録再生装置。
【請求項３】
前記再生リストとは繰返し録画予約により作成されたものであることを特徴とする請求項２記載の記録再生装置。
【請求項４】
前記特定の放送ジャンルを操作信号に応じて決定することができることを特徴とする請求項２記載の記録再生装置。
【請求項５】
前記時系列的なリストは外部からの繰り返し録画予約機能の指示による番組録画時に自動的に作成され、録画の終了した番組名が登録されるよう前記制御部は制御することを特徴とする請求項１記載の記録再生装置。
【請求項６】
前記再生信号によるコンテンツの連続再生を行うかどうかを外部からの指定に基づく設定条件に基づき判定する手段を備えたことを特徴とする請求項１記載の記録再生装置。
【請求項７】
前記時系列的なリストに対し外部からの編集指示による任意番組の再生、録画番組の再生リストへの追加、再生リストに登録された任意の録画番組の再生リストからの除去、再生リストの再生順序の変更、再生リストに登録された任意の録画番組の削除または再生リストに登録された全録画番組の一括削除を行う手段を備えたことを特徴とする請求項１記載の記録再生装置。
【請求項８】
前記制御部は、前記再生指示された放送コンテンツと、タイトル、録画曜日、録画時間、録画チャンネルがそれぞれ共通している場合、前記関連コンテンツであると判断することを特徴とする請求項１記載の記録再生装置。
【請求項９】
放送信号を復調して得た放送コンテンツを記録し、
前記記録した前記複数の放送コンテンツの管理情報をリスト表示をするための表示信号を出力し、
前記複数の放送コンテンツの内の一つの再生を指示する操作信号を受けると、前記記録されている複数の放送コンテンツから、前記再生指示された放送コンテンツに関連する複数の放送コンテンツの管理情報を時系列的にリスト表示をするための表示信号を出力し、この時系列的なリストに基づいてコンテンツを再生するための再生信号を出力することを特徴とする記録再生方法。
【請求項１０】
前記再生を指示されたコンテンツの再生リストが存在するか判定し、該再生リストが存在すると判定した場合に限り、前記再生指示された放送コンテンツに関連する複数の放送コンテンツの管理情報を時系列的にリスト表示をするための表示信号を出力することを特徴とする請求項９記載の記録再生方法。
【請求項１１】
前記特定の放送ジャンルとはドラマであることを特徴とする請求項１０記載の記録再生方法。
【請求項１２】
前記特定の放送ジャンルを操作信号に応じて決定することができることを特徴とする請求項１０記載の記録再生方法。
【請求項１３】
前記時系列的なリストを外部からの繰り返し録画予約指示による番組録画時に自動的に作成し、録画の終了した番組名を登録することを特徴とする請求項９記載の記録再生方法。
【請求項１４】
前記再生信号によるコンテンツの連続再生を行うかどうかを外部からの指定に基づく設定条件に基づき判定することを特徴とする請求項９記載の記録再生装置。
【請求項１５】
前記時系列的なリストに対し外部からの編集指示による任意番組の再生、録画番組の再生リストへの追加、再生リストに登録された任意の録画番組の再生リストからの除去、再生リストの再生順序の変更、再生リストに登録された任意の録画番組の削除および再生リストに登録された全録画番組の一括削除を行うことを特徴とする請求項９記載の記録再生装置。
【請求項１６】
前記再生指示された放送コンテンツと、タイトル、録画曜日、録画時間、録画チャンネルがそれぞれ共通している場合、前記関連コンテンツであると判断することを特徴とする請求項９記載の記録再生方法。
【請求項１７】
前記再生指示された放送コンテンツに関連する複数の放送コンテンツの内の未再生のものを記録順に連続して再生すべく制御することを特徴とする請求項９記載の記録再生方法。
【発明の詳細な説明】
【技術分野】
【０００１】
本発明は、記録再生装置及び記録再生方法に係り、特に繰り返し録画予約機能を用いる記録再生装置及び記録再生方法に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、簡易な操作によって予約録画等が可能となるため、特にシリーズものの番組の繰り返し録画予約機能を用いて放送コンテンツを記憶領域に記憶することができる。この結果、ユーザは録画した放送コンテンツにおいて、例えば、特定の番組を再生する際に、その番組の前回の番組が再生されていない場合、『先週の連続番組がまだ未再生ですがどちらを再生しますか』と問うことにより、未再生の番組を残さずに視聴することができる等再生方法が工夫された記録再生装置が提供されている。
【０００３】
例えば更に、映像記録再生装置において、連続再生制御部は、一つの番組再生が終わる度に、今再生が終わった番組と同じタイトルで、記録された日時が一番近く且つ日時が後の番組を検索して自動的に再生するという技術がある(例えば、特許文献１参照。)。
【０００４】
しかしながらこの方法では、以下のケースで録画された場合にユーザが意図する録画番組の再生ができないという問題があった。
ケース１：
・          朝に放送された連続ドラマの第１回番組を録画する。
・          本ドラマの第１回番組の再放送が昼に放送され、その番組も録画する。
・          翌日朝に本ドラマの第２回番組を録画する。
・          同様に本ドラマを最終回の放送まで録画する。
即ち、ユーザが本ドラマを第１回から連続で視聴しようとした場合、名前が同じで、第1回の直近の番組は再放送された第1回の番組である。したがって、第２回目の番組ではなく、第1回の番組を連続して再生することになる。
【０００５】
ケース２：
・          連続ドラマの第1回目から最終回までを録画する。
・          本ドラマの第1回目から最終回までの間に、本ドラマの特集番組が放送され、その番組を録画する。
即ち、特集番組にドラマの名前が含まれていた場合、本ドラマを連続で再生する途中で特集番組も再生することになる。ドラマが放送されている期間は、そのドラマに関連した番組が放送されることが多いため、連続ドラマを再生する間に、対象ドラマそのものではない番組が再生されることが多くなる。
【０００６】
また、特許文献２による方法は記録再生装置において、反復して録画される番組につき、録画モードとして追記モード(連続モード)を設け、複数回の録画情報を一単位の管理情報として管理する(チャプタとして管理する)ものである(１６頁、図6, 8, 10)。
【０００７】
この方法も一法ではあるが、ユーザは一つのライブラリになった番組の任意の回を再生するのに該当番組までスキップするという操作が必要であり、操作性を向上することが求められるものである。
【特許文献１】特開２００６−７４５８６号公報
【特許文献２】特開２００５−３４１３９９号公報
【発明の開示】
【発明が解決しようとする課題】
【０００８】
本発明は、上記問題点を解決するためになされたもので、ユーザが再生を意図する録画番組の再生ができ、また操作性をより向上させた記録再生装置及び記録再生方法を提供することを目的とする。
【課題を解決するための手段】
【０００９】
上記課題を解決するために、本発明の記録再生装置は、放送信号を受信しこれを復調して複数の放送コンテンツを出力するチューナ部と、前記チューナ部からの前記複数の放送コンテンツを記録する記録部と、前記記録部が記録した前記複数の放送コンテンツの管理情報のリスト表示をするための表示信号を出力し前記複数の放送コンテンツの内の一つの再生を指示する操作信号を受けると前記記録されている複数の放送コンテンツから前記再生指示された放送コンテンツに関連する複数の放送コンテンツの管理情報を時系列的にリスト表示をするための表示信号を出力するべく制御し、またこの時系列的なリストに基づいてコンテンツを再生するための再生信号を出力するべく制御する制御部とを具備することを特徴とする。
【発明の効果】
【００１０】
本発明によれば、ユーザが再生を意図する録画番組の再生ができ、また操作性をより向上させた記録再生装置及び記録再生方法が得られる。
【発明を実施するための最良の形態】
【００１１】
以下、本発明の実施例を説明する。
【実施例１】
【００１２】
本発明による実施例１を図１乃至図９を参照して説明する。
図１は、この発明の一実施形態に係る記録再生装置の構成の一例を示すブロック図である。
（構成）
初めに、図１の放送記録装置１０は、一例として、チューナ等をソースとして記録機能を有するデジタルテレビジョンである。しかしながら、チューナ等と記録機能とをもったハードディスクレコーダも同様に好適である。
【００１３】
従って、以下の図１を用いた実施形態の説明においては、記録機能をもったデジタルテレビジョンとして詳細に説明を行なうが、図１からディスプレイ２６を分離することにより、全く同様の機能をもったハードディスクレコーダとしての説明と解釈することが可能である。
【００１４】
図１において、デジタルテレビジョンである放送記録装置１０は、２種類のディスクドライブを有する。第1のメディアとしてハードディスクＨを駆動するハードディスクドライブ部１８と、第２のメディアとしてビデオファイルを構築できる情報記録媒体であるの光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００１５】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタル／アナログチューナ部１２と、いわゆる地上波デジタル／アナログチューナ部１３とが接続され、エンコーダ部２１に信号を出力する。又、ＢＳ／ＣＳデジタル／アナログチューナ部１２には衛星アンテナが、地上波デジタル／アナログチューナ部１３には地上波アンテナが接続されている。又、放送記録装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、関連コンテンツ制御部４２、予約録画部・番組表生成部４３を有している。これらの各部は、データバスＢを介して制御部３０に接続されている。更に、セレクタ部１７の出力は、ディスプレイ２６に供給されるか、外部装置との通信を行うインタフェース部２７を介して、外部装置に供給される。
【００１６】
更に、放送記録装置１０は、データバスＢを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。図２は、放送記録装置を操作するための図１リモコンＲの一例を示す外観図である。
【００１７】
（基本動作）
・放送コンテンツ再生
このような構成のデジタルテレビジョンである放送記録装置１０において、ユーザのリモコンＲ又は操作部３２の操作に応じた操作信号に従って、制御部３０等の制御下において、放送信号を受信しＢＳ／ＣＳチューナ１２又は地上波デジタル／アナログチューナ部１３からの放送コンテンツをディスプレイ２６に表示する。
【００１８】
・記録処理
次に、記録時の動作について、他の実施形態も含めて詳細に説明する。放送記録装置１０の入力側として、ＬＡＮ等の通信部１１は、外部機器と接続して、例えばモデムＭ等を介しインターネット等の通信路を経由して番組情報提供サーバＳ等と通信を行ったり、放送コンテンツ等をダウンロードしたりする。又、ＢＳ／ＣＳデジタル／アナログチューナ部１２、地上波デジタル／アナログチューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波放送のチューナ部や、ＢＳ／ＣＳチューナ部を２つ又は３つ以上を有し、予約録画の要求に応じて平行して機能させる場合も含んでいる。
【００１９】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００２０】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００２１】
又、ＢＳ／ＣＳアナログ／デジタルチューナ１２等は、必ずしも内蔵されている必要はなく、データ入力端子を介して外付けされて、受信したデジタル信号をセレクタ部１６を介してエンコーダ部２１や制御部３０に供給することも好適である。
【００２２】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８や光ディスクＤに記録された情報を、制御部３０、光ディスクドライブ部１９を介して光ディスクＤやハードディスクドライブ部１８に記録することもできる。
【００２３】
信号編集部２０により、ハードディスクドライブ部１８や光ディスクＤに記録されている複数番組のビデオ・オブジェクトを、一部削除したり、異なる番組のオブジェクトをつなげたり、といった編集処理を行うこともできる。
【００２４】
・再生処理等
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２５】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２６】
・予約録画処理
又、通信部１１やチューナ１２，１３から取得した電子番組情報に基づいて、予約録画部（番組表生成部）４３によりユーザのリモコンＲ等の操作により特定した番組に応じて、録画予約処理が可能であると共に、取得した電子番組情報に基づく番組表を画面表示することが可能となる。又、予約された予約録画情報に基づいて、制御部３０及び予約録画部４３の働きにより、予約時刻になると、ＢＳ／ＣＳデジタル／アナログチューナ部１２又は地上波デジタル／アナログチューナ部１３が受信した番組情報が復調された映像音声信号が、エンコーダ２１等のエンコード処理を経て、例えば、ハードディスク部Ｈに記録（予約録画）される。
【００２７】
この実施形態の放送記録装置１０は、このように総合的な機能を有しており、複数のソースに対して光ディスクＤ又はハードディスク部Ｈによる記録・再生処理を行うものである。
【００２８】
通信部１１等から取得した電子番組情報に基づいて、予約録画部（番組表生成部）４３により、複数の放送コンテンツを自動的に予約録画することが可能であり、ハードディスクＨに複数の放送コンテンツが保有されている場合が考えられる。
【００２９】
なお予約録画としては所謂繰り返し予約録画機能を用いた予約録画が行われることも多い。これは、例えばドラマなどの毎週同一曜日・時間帯に類似タイトルで供給される放送をユーザがまとめて予約して録画するものである。
【００３０】
図３は、実施例の再生リストの概念を説明するための概略図である。図１のハードディスクＨに再生リストがＬａ，Ｌｂ，Ｌｃ，…というように構成されている。また、各再生リストはＬａで示す例のＰａのように連続番組に関し１話、２話、…というように録画された回の情報が時系列的なリストという内容に構成されている。変形例として、再生リストに登録済みの録画番組を再生リスト毎にフォルダを作成しまとめて保存できるようにしてもよい。図３ではフォルダＦに再生リストＬｄ，Ｌｅを格納した模式図を表示している。フォルダＦも図示せぬがハードディスクＨ内にある。
【００３１】
次に、本発明の一実施形態である放送コンテンツのリスト表示について、説明する。ここで、放送コンテンツのリスト表示機能とは、再生しようとする放送コンテンツに対して、保有する複数の放送コンテンツの中にこれから再生しようとする放送コンテンツに関連の放送コンテンツがあるか、具体的には、放送コンテンツが第５回のドラマであるとき、保有する複数の放送コンテンツの中に他の回のドラマの放送コンテンツが存在するかどうかを判断し、存在していれば、この関連放送コンテンツのリスト表示を行い、指示を待つものである。
【００３２】
ところでこの録画済放送コンテンツを時間順などにリストしても、保有する放送コンテンツの一部が面表示されるだけに過ぎず、ユーザは、全体にどれだけの放送コンテンツがあるかを十分理解することができない。
【００３３】
このような状態でユーザは、保有する放送コンテンツを再生するべく、図４に示すような録画済放送コンテンツリストを表示するべく、図２のリモコンＲや操作部３２の操作を行なう。制御部３０は、操作信号を受けると、予約録画部４３の記憶領域やハードディスク部Ｈに記憶している放送コンテンツの管理情報を取得しこれらに基づき表示信号を生成して音声映像処理部２４に供給することでディスプレイ２６には、図４に示すような録画済放送コンテンツリストが表示される。
【００３４】
しかしながら、ユーザは、ドラマ『北の村人（第５回）』に興味をもち、これをひとまず再生するべくリモコンＲの操作をして、このドラマを特定し再生キーを押下する。これにより、制御部３０は、この放送コンテンツの再生が指示されたことを認識する（図４）。
【００３５】
振り返って、録画を行う方法のうち便利な方法として前述の繰り返し録画予約機能がある。例えば図４のＰ５で示したタイトルを第５回だけでなく連続する複数回予約する機能である。
【００３６】
この予約に基づく動作を図５に説明する。
まず繰り返し録画予約機能による録画を開始する（ステップＳ１）。ハードディスクＨの空き容量が無いなどのリソース等の問題がなければ通常行われる。次にこの繰り返し録画予約機能による録画が終了する（ステップＳ２）。
【００３７】
このとき登録すべき再生リストの有無を判定し（ステップＳ３）リストがない場合は、次のリスト作成処理へ進む。リスト作成処理では該当番組のリスト作成を行う（ステップＳ４）。リストの有無を判定によらず次の録画番組名の追加処理（ステップＳ５）へ進むことになり、即ちステップＳ４を経由した場合は作成したばかりのリストに録画番組名を登録し、ステップＳ４を経由しなかった場合は以前にできていたリストに録画番組名を追加登録することになる。再生リストは繰り返し録画予約毎に作成または更新する。即ち、該当番組の再生リストを新規で作成するか、該当番組の再生リストに録画番組名を追加する。
【００３８】
図６はこのようにしてできた図４のドラマ『北の村人（第５回）』Ｐ５に関するリストであり、第１回〜第８回に相当するＰ１〜Ｐ８が表示されている。
この表示を行うための情報として、そのもとになるのは図３で概念を説明した図７のようなリストである。ＥＰＧ（Electronic Program Guide）などの手段で得られる。
【００３９】
例えば、制御部３０は、関連コンテンツ制御部４２と共同して、この放送コンテンツのの再生リストが存在するか判定し、該再生リストが存在すると判定した場合に限り、関連リスト表示が行われる。なお、ここで放送コンテンツの該再生リストが存在すると判定しない場合は、制御部３０及びハードディスクドライブ部１８やＭＰＥＧデコーダ２３の動作により、通常の再生処理がなされる。
【００４０】
再生リストとは繰返し録画予約により作成されたものであることを特徴とするが、再生リストがあるジャンルの放送に関係することは多く、これを妨げるものではない。
【００４１】
例えばここで、放送コンテンツの放送ジャンルとは、上述した電子番組情報から自動的に取得した管理情報であることが好適である。又、放送コンテンツの放送ジャンルは、少なくとも『ドラマ』であることが好適であるが、必ずしもドラマに限らず、例えば、『アニメーション』等の連続性のある放送ジャンルであることが好ましい。しかし、ユーザのリモコンＲ等による操作によって、『スポーツ』等の特異のジャンルが追加設定されてもよい。又、ユーザの操作によって、ジャンル指定を解除することも好適である。
【００４２】
制御部３０は、関連コンテンツ制御部４２と共同して、この放送コンテンツの放送ジャンルを識別し、これが予め指定された所定ジャンルである『ドラマ』であることを認識すると、関連コンテンツ制御部４２と共に、図３に示すような指定された放送コンテンツに共通の放送コンテンツのリスト表示のための表示信号を生成して、ディスプレイ２６に表示する。図３において、先に再生を指定した『北の村人（第５回）』が選択表示されて表示され、同時に、それ以外の関連の放送コンテンツである『北の村人（第１回）』乃至『北の村人（第８回）』Ｐ１乃至Ｐ８が自動的に画面にリスト表示されるものである。
【００４３】
ここで、ある放送コンテンツと他の放送コンテンツとの関連性の判断の基準であるが、一例として、「タイトル」、「録画曜日」、「録画時間」、「録画チャンネル」のそれぞれが全て一致していることが好適である。しかしながら、これらのうちの３つまで共通している等の多少の変形が同様に好適である。
【００４４】
図８は、ユーザが録画番組を再生する時のフローチャート図である。まず、ユーザ指示により録画番組の再生を開始する（ステップＳ１１）。次に、同様に録画番組の再生を終了する（ステップＳ１２）。
【００４５】
連続再生の設定が有効になっているか判定し（ステップＳ１３）連続再生の設定が有効である場合は、次の処理へ進む。また連続再生の設定が無効である場合は処理を終了する。連続再生を有効にするかまたは無効にするかの設定は、メニュー画面を用いてリモコン等で対話的に行えるようにしておけばよい。
【００４６】
次の処理は、再生リストにユーザが再生した録画番組の録画番組名が登録されているかの判定（ステップＳ１４）であり、登録されている場合は次の処理へ進みそうでない場合は処理を終了する。
【００４７】
次の処理は、再生リストに次録画番組の録画番組名が登録されているかの判定（ステップＳ１５）であり、登録されている場合は次の処理へ進みそうでない場合は処理を終了する。
【００４８】
次の処理では、ユーザ指示により次録画番組を再生する（ステップＳ１６）。続いて、同様に次録画番組の再生を終了する（ステップＳ１７）。次にステップＳ１５からの処理を繰り返す。
【００４９】
図９は放送コンテンツのリスト表示の一例である。ドラマの第２回目（Ｐ２）まで再生を終了した状態を示している。例えばドラマの第１回目（Ｐ１）から再生し、図８でステップＳ１７まで終了した状態を示している。
【実施例２】
【００５０】
本発明による実施例２を図１乃至図１０を参照して説明する。実施例１と共通する部分は説明を省略する。
再生リストはユーザインターフェースとしてディスプレイ２６に図９のように表示されるが、ユーザが以下の編集することができるように対話的なメニューを構成してもよい。
【００５１】
図１０はディスプレイ２６上にこのメニューＭを表示した例である。図９でＰ５を選択しているときにこのメニューＭの部分を前面にポップアップするサブメニューとして表示できるようにしてもよい。
【００５２】
編集メニュー内容はメニューＭのメニュー番号の若いものから次のようである。
１．ユーザは再生リスト内の任意の録画番組を指定して再生することができる。例えば、Ｐ５の番組から再生することができる。
２．ユーザは再生リストに任意の録画番組を追加することができる。
３．ユーザは再生リストから任意の録画番組を除去することができる。対象ドラマ自体ではない特集番組は再生したくない場合に有効である。
４．ユーザは再生リスト内の再生順序の変更を行うことができる。
５．ユーザは再生リスト内の任意の録画番組を削除することができる。
６．ユーザは再生リスト内の全録画番組を一括して削除することができる。
例えば、上記メニューの４、再生リストの再生順序の変更は、Ｐ５を選択しメニューＭの番号４を選ぶとメニューＭが消えＰ５が画面の上下、即ちＰ４やＰ６の方向に移動可能となるようにすればよい。再放送が次回の放送よりも後になった場合に再放送を次回の放送よりも前に再生する場合などに有効である。
【００５３】
また上記メニューの５，６はリストからの除去ではなく録画番組自体を削除するものであり、影響が大きいのでよりユーザに確認を求めるような対話的インタフェースを構成するのもよい。
【００５４】
本発明では、繰り返し録画予約機能で録画したシリーズものの録画番組の再生リストを自動的に作成することにより、録画番組再生時に次回の番組をユーザが探す操作なしに連続で再生することが可能になる。
【００５５】
また従来は、ドラマなどのシリーズものの番組を視聴する場合、例えば第１話を視聴後、第２話を視聴する際に、ユーザが意図しない番組を再生する問題があった。
ユーザが連続再生の設定を無効にした場合は、次に再生する番組を任意に選択することが可能となる。
ユーザが繰返し録画機能を使用して番組録画を行った場合、再生リストを自動的に作成し、再生リストに録画の終了した番組名を登録する。
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００５６】
１．本発明では、繰り返し録画で録画された番組の録画番組名を録画時に再生リストに追加する。再生時は再生リストに登録されている順で、次に再生する番組を決定する。
【００５７】
繰り返し録画予約機能による録画時に再生リストを作成し、その再生リストの順番で録画番組を再生することにより、ユーザの意図した番組を連続で再生することができる。
【００５８】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５９】
【図１】この発明の一実施例の記録再生装置を示す概略ブロック図。
【図２】同実施例の記録再生装置を操作するためのリモコン装置の一例を示す説明図。
【図３】同実施例の再生リストの概念を説明するための概略図。
【図４】同実施例の録画済放送コンテンツリストの表示例。
【図５】同実施例の繰り返し録画予約時のフローチャートを示す図。
【図６】同実施例の録画済放送コンテンツリストの表示例。
【図７】同実施例の再生リストの模式図。
【図８】同実施例の再生時のフローチャートを示す図。
【図９】同実施例の録画済放送コンテンツリストの表示例。
【図１０】この発明の他の実施例に関わる編集メニューの説明図。
【符号の説明】
【００６０】
１１…通信部、１２…ＢＳ／ＣＳデジタル／アナログチューナ部、１３…地上波デジタル／アナログチューナ部、１６…入力側のセレクタ、１７…出力側のセレクタ、１８…ハードディスクドライブ部、１９…光ディスクドライブ部、２０…信号編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４２…関連コンテンツ制御部、４３…予約録画部・番組表生成部。
【図１】
2008085662.tif 000003
【図２】
2008085662.tif 000004
【図３】
2008085662.tif 000005
【図４】
2008085662.tif 000006
【図５】
2008085662.tif 000007
【図６】
2008085662.tif 000008
【図７】
2008085662.tif 000009
【図８】
2008085662.tif 000010
【図９】
2008085662.tif 000011
【図１０】
2008085662.tif 000012